(57)【要約】【課題】  構成がきわめて簡単であって安価に製作することが可能であり、ユーザにとっては使用方法を直観的に把握することのできる毛糸玉作成具を提供する。【解決手段】  作成具本体１０に、毛糸玉の球状部を形成するための毛糸１を巻き付ける胴部２０と、胴部２０に巻き付けられた毛糸１を束ねて緊締するための結束糸２が挿通される貫通孔部１１と、貫通孔部１１から延び出たスリット状の長孔部１２とを具備させる。貫通孔部１１に挿通させた結束糸２を長孔部１２の中で巻き回すことによって、胴部２０に多重に巻き付けられた毛糸束１Ａを緊締することができるようにしてある。【選択図】        図４
0003151660.tif 000002
【実用新案登録請求の範囲】
【請求項１】
作成具本体に、毛糸玉の球状部を形成するための毛糸が巻き付けられる胴部と、この胴部に巻き付けられた上記毛糸を束ねて緊締するための結束糸が挿通される貫通孔部と、この貫通孔部から延び出しかつ上記胴部を縦通して当該胴部の端縁で開放されたスリット状の長孔部とが具備されていて、
上記貫通孔部に挿通させた結束糸を上記長孔部の中で巻き回すことによって、上記胴部に多重に巻き付けられた毛糸束を緊締することができるようにしてあることを特徴とする毛糸玉作成具。
【請求項２】
平面視矩形の板状に形作られた上記作成具本体がその長手方向で２区画され、一方側の区画が上記胴部とされ、他方側の区画が把手部とされていると共に、その把手部を片方の手でつかんだまま他方の手で上記胴部に毛糸を巻き付けることができるようになっている請求項１に記載した毛糸玉作成具。
【請求項３】
上記把手部の端縁に、上記貫通孔部に挿通されて当該把手部に巻き回された上記結束糸の端部を挟み込んで仮止めするための糸掛け溝が凹入状に形成されている請求項２に記載した毛糸玉作成具。
【請求項４】
上記胴部と上記把手部との境界部分に丸孔でなる上記貫通孔部が形成され、その貫通孔部は、上記長孔部の孔幅よりも長い直径寸法を有している請求項２又は請求項３に記載した毛糸玉作成具。
【考案の詳細な説明】
【技術分野】
【０００１】
本考案は、毛糸玉作成具、詳しくは、帽子や洋服などの衣類、人形などに付されてアクセサリーや装飾小物などとして利用される毛糸玉の作成具に関する。
【背景技術】
【０００２】
この種の毛糸玉は、ボンボンあるいはポンポンと通称されることがある。図５にはこの種の毛糸玉Ａの構成例を断面図で説明的に示してあり、図６にはこの種の毛糸玉Ａの外観形状を説明的に示してある。図５に示した構成例では、多数本の毛糸１を束ねてその中央部分を結束糸２できつく縛っている。毛糸１は、毛羽立っていて大きな圧縮幅を有していることに加えて、それ自体が弾力性を備えているために、上記のように多数本の毛糸１を束ねてその中央部分を結束糸２できつく縛ると、図５のように個々の毛糸１が結束部分を中心に放射状に拡がる。そのため、そのように放射状に拡がった毛糸束の外周部分を鋏で球状に切り揃えて形を整えることによって図５又は図６のような球状の毛糸玉が得られる。
【０００３】
従来より、毛糸玉を作成するときに使用される治具は種々提案されていた（たとえば、特許文献１、特許文献２、特許文献３参照）。
【０００４】
上掲の特許文献の中で、特許文献１によって提案されている「繊維糸による糸玉成形具」は、円弧状に形成されている大略半円形の主体に多重に巻き付けた繊維糸の束の１箇所を、上記主体の一端部に設けた係止片によって仮止めした縛紐で縛り、その後、上記繊維糸の束の他の１箇所を鋏で切断することのできる構成を備えている。
【０００５】
また、特許文献２によって提案されている「ボンボン作成具」は、一端側で互いに連結されている一対の半円環状基板を１組として用いるものである。そして、このボンボン作成具では、半円環状基板に糸を巻き付ける作業、一対の半円環状基板を閉じ合わせて円環状に保形する作業、円環状に保形した一対の基板を合わせる作業、などを行うことによって、毛糸玉としてのボンボンを作成することができるとされている。
【０００６】
さらに、特許文献３によって提案されている「毛玉作成具」は、アーチ部を個々に有する一対のアームと、これらのアームを回転可能に支持する支持部材などを有している。
【先行技術文献】
【特許文献】
【０００７】
【特許文献１】実公昭５１−１８０５１号公報
【特許文献２】実用新案登録第３０６９１４４号公報
【特許文献３】特許第３４３６７５１号公報
【考案の概要】
【考案が解決しようとする課題】
【０００８】
しかしながら、上掲の特許文献１によって提案されている「繊維糸による糸玉成形具」はその主体が大略半円形に形成されている。また、特許文献２によって提案されている「ボンボン作成具」は一対の半円環状基板を１組として用いるものである。さらに、特許文献３によって提案されている「毛玉作成具」はアーチ部を個々に有する一対のアームを用いている。このように、従来の「繊維糸による糸玉成形具」「ボンボン作成具」「毛玉作成具」は、いずれも円弧状の部材を治具本体として用いているために、それらの形状が複雑でその製作コストが高くつくという問題があった。また、ユーザにとっては、複雑な構造を有していたためにその使用方法を直観的に把握することが困難であるという不便もあった。
【０００９】
本考案は以上の状況に鑑みてなされたものであり、構成がきわめて簡単であって安価に製作することが可能であり、しかも、ユーザにとっては使用方法を直観的に把握することのできる毛糸玉作成具を提供することを目的としている。
【課題を解決するための手段】
【００１０】
本考案に係る毛糸玉作成具は、作成具本体に、毛糸玉の球状部を形成するための毛糸が巻き付けられる胴部と、この胴部に巻き付けられた上記毛糸を束ねて緊締するための結束糸が挿通される貫通孔部と、この貫通孔部から延び出しかつ上記胴部を縦通して当該胴部の端縁で開放されたスリット状の長孔部とが具備されている。そして、上記貫通孔部に挿通させた結束糸を上記長孔部の中で巻き回すことによって、上記胴部に多重に巻き付けられた毛糸束を緊締することができるようにしてある、というものである。
【００１１】
この構成を備える毛糸玉作成具によると、作成具本体の貫通孔部に結束糸を挿通させることと、作成具本体の胴部に毛糸を多重に巻き付けることと、貫通孔部に挿通させた結束糸で胴部に多重に巻き付けた毛糸束を緊締することと、を容易にかつ迅速に行うことが可能である。そして、毛糸束を結束糸で緊締した後、結束箇所を挟む両側で毛糸束をカッターや鋏などで切開してその毛糸束を作成具本体から取り外すと、個々の毛糸が結束部分を中心に放射状に拡がるようになる。したがって、そのように放射状に拡がった毛糸群の外周部分を鋏で球状に切り揃えて形を整えることによって球状の毛糸玉が得られる。
【００１２】
本考案では、平面視矩形の板状に形作られた上記作成具本体がその長手方向で２区画され、一方側の区画が上記胴部とされ、他方側の区画が把手部とされていると共に、その把手部を片方の手でつかんだまま他方の手で上記胴部に毛糸を巻き付けることができるようになっていることが望ましい。この構成であると、作成具本体の胴部に毛糸を巻き付ける作業を、作成具本体の把手部を手で掴んだ状態で容易にかつ確実に行うことが可能になる。
【００１３】
本考案では、上記把手部の端縁に、上記貫通孔部に挿通されて当該把手部に巻き回された上記結束糸の端部を挟み込んで仮止めするための糸掛け溝が凹入状に形成されていることが望ましい。この構成であると、貫通孔部に挿通させた結束糸の端部を糸掛け溝によって仮止めしておくことができるため、作業中に結束糸が作成具本体から抜け落ちて脱落するという事態が起こらなくなる。そのため、胴部に毛糸を巻き付ける作業を楽に行うことができるようになる。
【００１４】
本考案では、上記胴部と上記把手部との境界部分に丸孔でなる上記貫通孔部が形成され、その貫通孔部は、上記長孔部の孔幅よりも長い直径寸法を有していることが望ましい。この構成であると、長い結束糸が必要とされる場合に、その結束糸を貫通孔部に何重にも通すことが可能になり、そのことが、結束作業を容易に行うことに役立つ。
【考案の効果】
【００１５】
以上のように、本考案に係る毛糸玉作成具は、作成具本体に、毛糸玉の球状部を形成するための毛糸が巻き付けられる胴部と、この胴部に巻き付けられた上記毛糸を束ねて緊締するための結束糸が挿通される貫通孔部と、この貫通孔部から延び出しかつ上記胴部を縦通して当該胴部の端縁で開放されたスリット状の長孔部とが具備されているだけの簡単な構成であり、しかも、上記作成具本体を平面視矩形の板状に形作ることができるために、木板や樹脂成形体によって安価に製作することが可能である。しかも、毛糸玉を作成しようとするユーザにとっては、当該作成具を見るだけで直観的に使用方法を把握することができる構成を備えているので、入手後に直ちに毛糸玉を容易に作成することが可能になるという利点がある。
【図面の簡単な説明】
【００１６】
【図１】本考案の実施形態に係る毛糸玉作成具の概略斜視図である。
【図２】毛糸玉作成具の使用方法の初期段階を説明的に例示した斜視図である。
【図３】毛糸玉作成具の使用方法の中間段階を説明的に例示した斜視図である。
【図４】毛糸玉作成具の使用方法の最終段階を説明的に例示した斜視図である。
【図５】毛糸玉の構成例を説明的に示した説明図である。
【図６】毛糸玉の外観形状を説明的に示した説明図である。
【図７】毛糸玉作成具の概略平面図である。
【考案を実施するための形態】
【００１７】
図１は本考案の実施形態に係る毛糸玉作成具の概略斜視図、図２、図３及び図４は毛糸玉作成具の使用方法を説明的に例示した斜視図、図５は毛糸玉の構成例を説明的に示した説明図、図６は毛糸玉の外観形状を説明的に示した説明図である。また、図７は上記毛糸玉作成具の概略平面図である。
【００１８】
この実施形態において、作成具本体１０は、５〜１０ｍｍ程度の厚さを有する平面視矩形の木板又は板状の樹脂成形体でなる。この作成具本体１０は、その長手方向で２区画されていて、一方側の区画Ｚ１が胴部２０とされているのに対し、他方側の区画Ｚ２が把手部３０とされている。そして、胴部２０と把手部３０との境界部分の幅方向中央部に丸孔でなる貫通孔部１１が設けられている。また、胴部２０には、上記貫通孔部１１から延び出し、当該胴部２０を縦通して当該胴部２０の端縁２１で開放されたスリット状の長孔部１２が具備されている。さらに、把手部３０の端縁３１には、その幅方向中央部に位置する糸掛け溝１３が凹入状に形成されている。
【００１９】
図７には、作成具本体１０の縦寸法（長手寸法）を符号Ｌ、同本体１０の横幅を符号Ｗ、貫通孔部１１の直径を符号Ｄ、長孔部１２の長さを符号Ｌ１、長孔部１２の孔幅を符号Ｓ１、糸掛け部１３の開き幅を符号Ｓ２で、それぞれ示してある。同図に示されているように、貫通孔部１１は、長孔部１２の孔幅Ｓ１よりも長い直径寸法を有している。
【００２０】
毛糸玉Ａの作成には種々の太さの毛糸を使用することができるけれども、自然状態（縮径が生じていない状態）で直径１ｍｍ以上の太さを有する毛糸を使用する場合には、図７に示した各部の寸法をたとえば以下のように定めておくと使い勝手が向上する。すなわち、作成具本体１０の縦寸法Ｌを１００ｍｍ程度、同本体１０の横幅Ｗを５０ｍｍ程度、貫通孔部１１の直径Ｄを３０ｍｍ程度、長孔部１２の長さＬ１を５０ｍｍ程度、長孔部１２の孔幅Ｓ１を２ｍｍ程度、糸掛け部１３の開き幅Ｓ２を１ｍｍ程度に定めておくとよい。
【００２１】
図５又は図６を参照して冒頭で説明したように、毛糸玉Ａは、多数本の毛糸１を束ねてその中央部分を結束糸２できつく縛った構成を有している。そして、毛糸１は毛羽立っていて大きな圧縮幅を有していることに加えて、それ自体が弾力性を備えているために、上記のように多数本の毛糸１を束ねてその中央部分を結束糸２できつく縛ると、個々の毛糸１が結束部分を中心に放射状に拡がる。そのため、そのように放射状に拡がった毛糸群の外周部分を鋏で球状に切り揃えて形を整えることによって球状の毛糸玉が得られる。
【００２２】
したがって、このような毛糸玉Ａの作成手順や構成を周知しているユーザにとっては、図１を参照して説明した構成を有する毛糸玉作成具を見ただけで、作成具本体１０の胴部２０が毛糸玉の球状部を形成するための毛糸が巻き付けられる部分であり、スリット状の長孔部１２が結束糸で毛糸を緊締するのに利用される部分であることを直観的に認識することができる。同様に、貫通孔部１１に結束糸を挿通させておけば、その結束糸を用いて、長孔部１２を利用しながら胴部２０に多重に巻き付けた毛糸を緊締して結束することができるということや、結束糸の仮止めに糸掛け溝１３を利用することができるということを直観的に認識することができる。
【００２３】
次に、上記した毛糸玉作成具を用いて毛糸玉を作成する手順の一例を説明する。
【００２４】
図２のように、貫通孔部１１に挿通させた必要長の結束糸２を、その貫通孔部１１と糸掛け溝１３とに亘って１回又は複数回巻き付け、その結束糸２の端部２ａを糸掛け溝１３に挟み込んで仮止めしておく。また、図３のように、胴部２０に必要長の毛糸１を多重に巻き付ける。この巻付け作業は、毛糸１を規則的に並べて多重に巻き付けても、不規則に巻き付けてもよい。巻付け回数は４０〜５０回が適切であるけれども、作成したい毛糸玉の硬さなどを勘案してその回数を増減することが可能である。毛糸１の巻付け作業は、ユーザが片方の手で把手部３０をつかみ、他方の手で毛糸１を胴部２０に巻き付けることによって容易に行うことができる。
【００２５】
上記した結束糸２を貫通孔部１１に挿通させる作業、及び、胴部２０に毛糸１を巻き付ける作業は、どちらの作業を先に行ってもよい。しかしながら、胴部２０に毛糸１を巻き付ける作業を行うときには、毛糸１の巻付け箇所が貫通孔部１１の形成箇所にはみ出さないように注意する必要がある。これは、胴部２０に巻き付けた毛糸１で貫通孔部１１が塞がれてしまうと、その貫通孔部１１に結束糸２を挿通することができなくなることによる。これに対し、貫通孔部１１に先に結束糸２を挿通させておくと、毛糸１の巻付け箇所が貫通孔部１１の形成箇所にはみ出しても、後続の結束作業に支障が生じないという利点がある。
【００２６】
次に、糸掛け溝１３から結束糸２の端部２ａを取り外した後、図４のように、その結束糸２をスリット状の長孔部１２の中で巻き回し、そうすることによって、胴部２０に多重に巻き付けられている毛糸束１Ａをきつく縛る作業、すなわち緊締作業を行う。この緊締作業を行うと、作成具本体１０の表面側に位置している毛糸群とその裏面側に位置してい毛糸群とが、結束糸２によって１箇所で結束され、その結束箇所では毛糸束１Ａを形成している毛糸１が圧縮されて縮径した状態になる。
【００２７】
この後、結束糸２によって結束されている毛糸束１Ａを、結束箇所を挟む両側の２箇所で鋏やカッターを用いて切断する。この切断作業は、胴部２０に毛糸束１Ａが巻き付けられている状態のまま作成具本体１０の側面側に鋏を入れて切断したり、作成具本体１０の側面側にカッターを押し付けたりすることで容易に可能である。また、胴部２０から毛糸束１Ａを引き抜いた後で、結束箇所を挟む両側の２箇所を切断するという手法で行うことも可能である。しかし、作成具本体１０からの毛糸束１Ａの取外しやすさを勘案すると、前者の方法を選択することが望ましい。
【００２８】
結束箇所を挟む両側の２箇所が切断された毛糸束１Ａは、図５のように個々の毛糸１が結束部分を中心に放射状に拡がる。そのため、そのように放射状に拡がった毛糸群の外周部分を鋏で球状に切り揃えて形を整えることによって、図５又は図６に示した球状の毛糸玉が得られる。
【００２９】
実施形態の毛糸玉作成具では、作成具本体１０に糸掛け溝１３を具備させることによって、結束糸２の端部２ａを仮止めすることができるようにしてあるけれども、糸掛け溝１３を省略した場合であっても、結束糸２をユーザが片手の指で作成具本体１０に押し付けて仮止めしておくことが可能である。したがって、糸掛け溝１３は省略することができる。また、貫通孔部１１の直径Ｄをスリット状の長孔部１２の孔幅Ｓ１よりも大きくすることによって、その貫通孔部１１に結束糸２を挿通させやすくしてあるけれども、この点は、長孔部１２の孔幅Ｓ１を十分に広くしておくと、必ずしも貫通孔部１１の直径Ｄをスリット状の長孔部１２の孔幅Ｓ１よりも大きくしておく必要はない。
【符号の説明】
【００３０】
Ａ  毛糸玉
１  毛糸
２  結束糸
１０  作成具本体
１１  貫通孔部
１２  長孔部
１３  糸掛け溝
２０  胴部
３０  把手部
３１  把手部の端縁
Ｄ  貫通孔部の直径
Ｓ１  長孔部の孔幅
Ｚ１  一方側の区画
Ｚ２  他方側の区画
【図１】
0003151660.tif 000003
【図２】
0003151660.tif 000004
【図３】
0003151660.tif 000005
【図４】
0003151660.tif 000006
【図５】
0003151660.tif 000007
【図６】
0003151660.tif 000008
【図７】
0003151660.tif 000009